(57)【要約】【課題】製造及び基板への実装が容易であり、小型で変形しにくく、外部から与えられる力を基板に伝えにくいアンテナを実現する。【解決手段】アンテナ１１の側面部１１Ｂ−１，１１Ｂ−２は、加工前の部材の谷部を１つ含む波形部を、途中で振幅方向に垂直に折り曲げることにより形成され、谷部を含み、基板の実装面に対して垂直である。上面部１１Ａ−１乃至１１Ａ−３は、側面部１１Ｂ−１，１１Ｂ−２と波形部を構成し、実装面に対して平行で、側面部１１Ｂ−１，１１Ｂ−２に対して垂直である。支持部１１Ｃ−１，１１Ｃ−２は、上面部１１Ａ−１乃至１１Ａ−３の左右の両端から下方向に折れ曲がり、上面部１１Ａ−１乃至１１Ａ−３を支える。取付部１１Ｄ−１，１１Ｄ−２は、支持部１１Ｃ−１，１１Ｃ−２の下端から折れ曲がり、実装面に対して平行な面であり、実装面にハンダ付けされる。本発明は、例えば、車両用の通信装置のアンテナに適用できる。【選択図】図１
2015095820.tif 000002
【特許請求の範囲】
【請求項１】
折り曲げ加工前の状態で、平面状の部材の一部に少なくとも谷部を１つ含む波形をした部分である波形部を有し、折り曲げ加工後に基板の所定の実装面に実装されるアンテナであって、
前記波形部の途中で前記波形部の振幅方向に垂直な第１の折り曲げ部で折り曲げることにより形成され、前記谷部を含み、前記実装面に対して垂直な面である第１の側面部と、
前記第１の側面部とともに前記波形部を構成し、前記実装面に対して平行で、前記第１の側面部に対して垂直な面である上面部と、
前記上面部の前記振幅方向に対して垂直な方向の両端から下方向に折れ曲がる一対の支持部と、
前記一対の支持部の下端から折れ曲がり、前記実装面に対して平行な面であって、前記実装面にハンダ付けされる面である一対の取付部と
を備えるアンテナ。
【請求項２】
前記波形部は、１以上の山部を含み、
前記上面部は、前記山部を含む
請求項１に記載のアンテナ。
【請求項３】
前記波形部は、１以上の山部を含み、
前記第１の折り曲げ部と前記山部の間の前記振幅方向に垂直な第２の折り曲げ部で前記波形部を折り曲げることにより形成され、前記山部を含み、前記実装面に対して垂直な面である第２の側面部を
さらに備える請求項１に記載のアンテナ。
【請求項４】
前記波形部は、前記谷部で略１８０度に折り返している
請求項１乃至３のいずれかに記載のアンテナ。
【請求項５】
前記一対の支持部は、前記実装面に対して垂直である
請求項１乃至４のいずれかに記載のアンテナ。
【請求項６】
前記一対の取付部は、前記一対の支持部の下端から互いに広がる方向に折れ曲がっている
請求項１乃至５のいずれかに記載のアンテナ。
【請求項７】
前記一対の取付部は、前記実装面に形成されているパターンアンテナに接続される
請求項１乃至６のいずれかに記載のアンテナ。
【請求項８】
基板と、
折り曲げ加工前の状態で、平面状の部材の一部に少なくとも谷部を１つ含む波形をした部分である波形部を有し、折り曲げ加工後に前記基板の所定の実装面に実装されるアンテナであって、
前記波形部の途中で前記波形部の振幅方向に垂直な折り曲げ部で折り曲げることにより形成され、前記谷部を含み、前記実装面に対して垂直な面である側面部と、
前記側面部とともに前記波形部を構成し、前記実装面に対して平行で、前記側面部に対して垂直な面である上面部と、
前記上面部の前記振幅方向に対して垂直な方向の両端から下方向に折れ曲がる一対の支持部と、
前記一対の支持部の下端から折れ曲がり、前記実装面に対して平行な面であって、前記実装面にハンダ付けされる面である一対の取付部と
を備えるアンテナと
を含む電子部品。
【発明の詳細な説明】
【技術分野】
【０００１】
本発明は、アンテナ及び電子部品に関し、特に、基板への実装用のアンテナ、及び、アンテナを実装した基板を備える電子部品に関する。
【背景技術】
【０００２】
従来、基板の実装面の上方に所定の間隔を空けて設けられ、車両用の携帯機（例えば、キーフォブ（Key FOB）等）からの信号を受信するアンテナにおいて、車体の揺れや製造中の接触等により位置ズレや変形を防止する対策が提案されている。
【０００３】
例えば、基板に設けられた複数の柱上の支持部材によりアンテナを支えることが提案されている（例えば、特許文献１参照）。
【０００４】
また、例えば、アンテナに複数の脚部を設け、基板に差し込むことにより、アンテナを基板の実装面の上方に固定することが提案されている（例えば、特許文献２参照）。
【０００５】
さらに、例えば、アンテナの途中に基板側に折り曲げた複数の突起部を形成し、基板に設けた複数の支持部によりそれらの突起部を支持することが提案されている（例えば、特許文献３参照）。
【０００６】
しかしながら、特許文献１乃至３に記載のアンテナは、他の電子部品のようにリフロー工程により基板にハンダ付けできないため、他の電子部品とは別工程で基板に実装する必要がある。
【０００７】
そこで、従来、他の電子部品と同じリフロー工程によりハンダ付けできるようにしたアンテナが提案されている。
【０００８】
例えば、樹脂の内部又は表面にアンテナ線を配線するとともに、ハンダ付用の端子を設けたチップ型のアンテナが提案されている（例えば、特許文献４、５参照）。
【０００９】
しかしながら、特許文献４及び５に記載のアンテナは、チップ化するために製造コストが増加してしまう。
【００１０】
そこで、従来、例えば、金属性の板状の部材を折り曲げることにより自立可能に形成され、リフロー工程により基板に実装可能で、基板上のパターンと組み合わされるアンテナが提案されている（例えば、特許文献６、７参照）。
【００１１】
しかしながら、特許文献６及び７に記載のアンテナは、例えば、基板に実装する際に加えられる力により変形するおそれがある。一方、変形を防ぐために厚みのある金属板を使用した場合、アンテナ自体の強度は高くなるが、アンテナに加わった力がそのまま基板に伝わるようになり、基板に悪影響を及ぼすおそれがある。
【先行技術文献】
【特許文献】
【００１２】
【特許文献１】特開２０１３−１１８５９４号広報
【特許文献２】特開２０１０−１６１７２５号公報
【特許文献３】特開２０１１−１４６９９３号公報
【特許文献４】特開２００３−２２９７１０号公報
【特許文献５】特開２００６−２１７０５０号公報
【特許文献６】特開２０１１−７７７０２号公報
【特許文献７】特開２０１１−１６０４１４号公報
【発明の概要】
【発明が解決しようとする課題】
【００１３】
本発明は、製造及び基板への実装が容易であり、感度が良好で、小型で変形しにくく、外部から与えられる力を基板に伝えにくいアンテナを実現できるようにするものである。
【課題を解決するための手段】
【００１４】
本発明のアンテナは、折り曲げ加工前の状態で、平面状の部材の一部に少なくとも谷部を１つ含む波形をした部分である波形部を有し、折り曲げ加工後に基板の所定の実装面に実装されるアンテナであって、波形部の途中で波形部の振幅方向に垂直な第１の折り曲げ部で折り曲げることにより形成され、谷部を含み、実装面に対して垂直な面である第１の側面部と、第１の側面部とともに波形部を構成し、実装面に対して平行で、第１の側面部に対して垂直な面である上面部と、上面部の振幅方向に対して垂直な方向の両端から下方向に折れ曲がる一対の支持部と、一対の支持部の下端から折れ曲がり、実装面に対して平行な面であって、実装面にハンダ付けされる面である一対の取付部とを備える。
【００１５】
本発明のアンテナにおいては、第１の側面部、上面部、及び、支持部の少なくとも１つにより電波が受信される。また、支持部及び取付部によりアンテナが直立できるとともに、取付部をハンダ付けすることにより、アンテナが基板に実装される。
【００１６】
従って、製造及び基板への実装が容易であり、感度が良好で、小型で変形しにくく、外部から与えられる力を基板に伝えにくいアンテナを実現することができる。
【００１７】
この波形部は、１以上の山部を含み、この上面部は、山部を含むようにすることができる。
【００１８】
これにより、上面部の面積を大きくすることができ、ピッキング装置等による基板への実装が容易になる。
【００１９】
この波形部は、１以上の山部を含み、第１の折り曲げ部と山部の間の振幅方向に垂直な第２の折り曲げ部で波形部を折り曲げることにより形成され、山部を含み、実装面に対して垂直な面である第２の側面部をさらに設けることができる。
【００２０】
これにより、アンテナの感度をより向上させることができる。
【００２１】
この波形部は、谷部で略１８０度に折り返すようにすることができる。
【００２２】
これにより、アンテナをより小型化することができる。
【００２３】
この一対の取付部を、一対の支持部の下端から互いに広がる方向に折れ曲がるようにすることができる。
【００２４】
これにより、アンテナを直立させた場合の安定性が向上する。
【００２５】
この一対の取付部を、実装面に形成されているパターンアンテナに接続することができる。
【００２６】
これにより、アンテナとパターンアンテナが接続され、アンテナとパターンアンテナを合わせたアンテナ長の電波を受信することができる。
【００２７】
本発明の電子部品は、基板と、折り曲げ加工前の状態で、平面状の部材の一部に少なくとも谷部を１つ含む波形をした部分である波形部を有し、折り曲げ加工後に基板の所定の実装面に実装されるアンテナであって、波形部の途中で波形部の振幅方向に垂直な折り曲げ部で折り曲げることにより形成され、谷部を含み、実装面に対して垂直な面である側面部と、側面部とともに波形部を構成し、実装面に対して平行で、側面部に対して垂直な面である上面部と、上面部の振幅方向に対して垂直な方向の両端から下方向に折れ曲がる一対の支持部と、一対の支持部の下端から折れ曲がり、実装面に対して平行な面であって、実装面にハンダ付けされる面である一対の取付部とを備えるアンテナとを含む。
【００２８】
本発明の電子部品においては、第１の側面部、上面部、及び、支持部の少なくとも１つにより電波が受信される。また、支持部及び取付部によりアンテナが直立できるとともに、取付部をハンダ付けすることにより、アンテナが基板に実装される。
【００２９】
従って、小型で変形しにくく、外部から与えられる力を基板に伝えにくいアンテナを実現することができる。
【００３０】
従って、製造及び基板への実装が容易であり、感度が良好で、小型で変形しにくく、外部から与えられる力を基板に伝えにくいアンテナを実現することができる。
【発明の効果】
【００３１】
本発明によれば、製造及び基板への実装が容易であり、感度が良好で、小型で変形しにくく、外部から与えられる力を基板に伝えにくいアンテナを実現することができる。
【図面の簡単な説明】
【００３２】
【図１】本発明を適用したアンテナの第１の実施の形態を示す斜視図である。
【図２】第１の実施の形態のアンテナを別の方向から見た斜視図である。
【図３】第１の実施の形態のアンテナの三面図である。
【図４】第１の実施の形態のアンテナの折り曲げ加工前の状態の部材の平面図である。
【図５】アンテナを基板に実装した状態を示す斜視図である。
【図６】アンテナを基板に実装した状態を示す側面図である。
【図７】アンテナの基板への実装方法の例を説明するための図である。
【図８】アンテナの基板への実装方法の例を説明するための図である。
【図９】実装時のアンテナの変形の様子を示す図である。
【図１０】本発明を適用したアンテナの第２の実施の形態を示す斜視図である。
【図１１】第２の実施の形態のアンテナの折り曲げ加工前の状態の部材の平面図である。
【図１２】本発明を適用したアンテナの第３の実施の形態を示す斜視図である。
【図１３】本発明を適用したアンテナの第４の実施の形態を示す斜視図である。
【図１４】本発明を適用したアンテナの第５の実施の形態を示す斜視図である。
【図１５】第５の実施の形態のアンテナの折り曲げ加工前の状態の部材の平面図である。
【発明を実施するための形態】
【００３３】
以下、本発明を実施するための形態（以下、実施の形態という）について説明する。なお、説明は以下の順序で行う。
１．第１の実施の形態（側面部の折り返し数が２、上面部の折り返し数が１のアンテナ）２．第２の実施の形態（側面部の折り返し数が１、上面部の折り返し数が０のアンテナ）３．第３の実施の形態（側面部の折り返し数が３、上面部の折り返し数が２のアンテナ）４．第４の実施の形態（側面部の折り返し数が４、上面部の折り返し数が３のアンテナ）５．第５の実施の形態（側面部の折り返しが前と後ろの両方にあるアンテナ）
６．変形例
【００３４】
＜１．第１の実施の形態＞
｛アンテナ１１の構成例｝
図１乃至図３は、本発明を適用したアンテナの第１の実施の形態であるアンテナ１１の構成例を示している。図１及び図２は、アンテナ１１をそれぞれ異なる方向から見た斜視図であり、図３は、アンテナ１１の三面図である。
【００３５】
アンテナ１１は、基板（不図示）の実装面にハンダ付けされ、基板に実装されることにより、基板を含む通信装置の一部を構成する。この通信装置は、例えば、車両用の携帯機（例えば、キーフォブ（Key FOB）等）と通信を行い、キーレスエントリ、パッシブエントリ等の機能を実現するために用いられる。
【００３６】
ここで、キーレスエントリとは、例えば、携帯機を操作することにより、物理的な鍵を用いることなく、車両のドアの施錠又は開錠の遠隔操作を行う機能である。また、パッシブエントリとは、例えば、車両のドアハンドル又はドア付近のボタン等を操作した場合やユーザが車両に接近した場合に、携帯機と車両とが通信を行い、認証が成功したことに基づいてドアの施錠又は開錠を行う機能である。ドアの施錠又は開錠の際、キーレスエントリは携帯機の操作が必要だが、パッシブエントリは携帯機を操作する必要はない。
【００３７】
アンテナ１１は、上面部１１Ａ−１乃至上面部１１Ａ−３からなる上面部、側面部１１Ｂ−１及び側面部１１Ｂ−２からなる側面部、一対の支持部１１Ｃ−１及び支持部１１Ｃ−２、並びに、一対の取付部１１Ｄ−１及び取付部１１Ｄ−２により構成される。
【００３８】
なお、以下、図１において、側面部が設けられている側をアンテナ１１の前側とし、その反対側をアンテナ１１の後ろ側とする。また、支持部１１Ｃ−１が設けられている側をアンテナ１１の左側とし、支持部１１Ｃ−２が設けられている側をアンテナ１１の右側とする。
【００３９】
上面部１１Ａ−１乃至上面部１１Ａ−３は、それぞれ基板の実装面に対して平行な面であり、左右方向に互いに間隔を空けて並んでいる。また、アンテナ１１の上面部は、上面部１１Ａ−２の後端で略１８０度方向に折り返している。従って、アンテナ１１の上面部の折り返し部分の数（以下、折り返し数と称する）は１となる。
【００４０】
側面部１１Ｂ−１及び側面部１１Ｂ−２は、上面部１１Ａ−１乃至上面部１１Ａ−３の前端から垂直下方向に折れ曲がり、基板の実装面に対して垂直な面である。側面部１１Ｂ−１及び側面部１１Ｂ−２は、それぞれ下端で略１８０度に折り返すＵ字形の形状を有している。従って、アンテナ１１の側面部の折り返し数は２となる。なお、側面部１１Ｂ−１及び側面部１１Ｂ−２は、Ｕ字形以外の略１８０度に折り返す形状（例えば、Ｖ字形）にすることも可能である。
【００４１】
側面部１１Ｂ−１の上端は、上面部１１Ａ−１の前端部と上面部１１Ａ−２の左側の前端部に繋がっている。側面部１１Ｂ−２の上端は、上面部１１Ａ−２の右側の前端部と上面部１１Ａ−３の前端部に繋がっている。また、側面部１１Ｂ−１及び側面部１１Ｂ−２の下端は、取付部１１Ｄ−１及び取付部１１Ｄ−２の下端より高い位置にある。従って、アンテナ１１を基板に実装したときに、側面部１１Ｂ−１及び側面部１１Ｂ−２の下端と基板の実装面との間に隙間ができる。
【００４２】
支持部１１Ｃ−１は、上面部１１Ａ−１の左端から垂直下方向に折れ曲がり、基板の実装面に対して垂直な面である。支持部１１Ｃ−２は、上面部１１Ａ−３の右端から垂直下方向に折れ曲がり、基板の実装面に対して垂直な面である。従って、支持部１１Ｃ−１と支持部１１Ｃ−２は、左右方向において互いに対向している。そして、支持部１１Ｃ−１と支持部１１Ｃ−２は、上面部１１Ａ−１乃至上面部１１Ａ−３からなるアンテナ１１の上面部の左右の両端を支えている。
【００４３】
取付部１１Ｄ−１は、支持部１１Ｃ−１の下端から左方向に垂直に折れ曲がり、基板の実装面に対して平行な面である。取付部１１Ｄ−２は、支持部１１Ｃ−２の下端から右方向に垂直に折れ曲がり、基板の実装面に対して平行な面である。従って、取付部１１Ｄ−１及び取付部１１Ｄ−２は、支持部１１Ｃ−１及び支持部１１Ｃ−２の下端から互いに広がる方向に折れ曲がっている。そして、取付部１１Ｄ−１及び取付部１１Ｄ−２は、アンテナ１１を自立させるとともに、基板の実装面にハンダ付けされ固定される。
【００４４】
このように、アンテナ１１は、折り返し部分や折り曲げ部分が多く、取付部１１Ｄ−１から取付部１１Ｄ−２までのアンテナ長を必要な長さに保ちつつ、サイズを小型化することができる。
【００４５】
また、アンテナ１１は、上面部（上面部１１Ａ−１乃至上面部１１Ａ−３）、側面部（側面部１１Ｂ−１及び側面部１１Ｂ−２）、並びに、支持部（支持部１１Ｃ−１及び支持部１１Ｃ−２）の互いに垂直で異なる３方向を向き、ある程度の幅を持つ面を備えている。そのため、進行方向に関わらず各方向からの電波を良好に受信することができる。すなわち、アンテナの感度を向上させることができる。
【００４６】
具体的には、アンテナ１１の前から飛んでくる電波（図１のＸ軸方向に進む電波）、及び、後ろから飛んでくる電波（図１のＸ軸方向と逆方向に進む電波）は、側面部（側面部１１Ｂ−１及び側面部１１Ｂ−２）により良好に受信することができる。また、アンテナ１１の右方向から飛んでくる電波（図１のＹ軸方向に進む電波）は、支持部１１Ｃ−２により良好に受信することができる。さらに、アンテナ１１の左方向から飛んでくる電波（図１のＹ軸方向と逆方向に進む電波）は、支持部１１Ｃ−１により良好に受信することができる。また、アンテナ１１の上方向から飛んでくる電波（図１のＺ軸方向に進む電波）は、上面部（上面部１１Ａ−１乃至上面部１１Ａ−３）により良好に受信することができる。
【００４７】
｛アンテナ１１の製造方法の例｝
図４は、アンテナ１１の折り曲げ加工前の状態の部材３１の例を示している。部材３１は、少なくともアンテナ１１が自立でき、かつ、基板への実装時に変形しない程度の厚みを有しており、例えば、１枚の金属板に型を当てて打ち抜くことにより成形される。
【００４８】
部材３１は、２つの谷部（谷部Ｈ１及び谷部Ｈ２）、及び、１つの山部（山部Ｃ１）を含む波形をした部分である波形部Ｗ１を含んでいる。波形部Ｗ１は、谷部Ｈ１、山部Ｃ１、谷部Ｈ２のそれぞれで略１８０度の方向に折れ曲がっており、振幅方向が略垂直な方形波に近い形状を有している。また、波形部Ｗ１は、上面部１１Ａ−１乃至１１Ａ−３、並びに、側面部１１Ｂ−１及び側面部１１Ｂ−２を含んでいる。
【００４９】
そして、折り曲げ部ＦＰ１乃至折り曲げ部ＦＰ３−２で部材３１を折り曲げることによりアンテナ１１が形成される。
【００５０】
具体的には、折り曲げ部ＦＰ１は、波形部Ｗ１の途中にあり、波形部Ｗ１の振幅方向（図４の上下方向）に対して垂直な方向に設けられている。そして、部材３１を折り曲げ部ＦＰ１で垂直下方向に折り曲げることにより、側面部１１Ｂ−１及び側面部１１Ｂ−２が形成され、谷部Ｈ１が側面部１１Ｂ−１の下端になり、谷部Ｈ２が側面部１１Ｂ−２の下端になる。また、山部Ｃ１が、上面部１１Ａ−２の後端になる。
【００５１】
折り曲げ部ＦＰ２−１及び折り曲げ部ＦＰ２−２は、波形部Ｗ１の振幅方向に対して垂直な方向の両端付近にあり、波形部Ｗ１の振幅方向に対して平行な方向に設けられている。また、折り曲げ部ＦＰ３−１及び折り曲げ部ＦＰ３−２は、部材３１の両端付近にあり、波形部Ｗ１の振幅方向に対して平行な方向に設けられている。そして、部材３１を折り曲げ部ＦＰ２−１及び折り曲げ部ＦＰ２−２で上面部に対して垂直下方向に折り曲げ、折り曲げ部ＦＰ３−１及び折り曲げ部ＦＰ３−２で上面部に対して水平な方向に垂直に折り曲げることにより、支持部１１Ｃ−１及び支持部１１Ｃ−２、並びに、取付部１１Ｄ−１及び取付部１１Ｄ−２が形成される。
【００５２】
このように、アンテナ１１は、金属板の打ち抜き加工と折り曲げ加工により、容易に製造することができ、製造コストを安くすることができる。
【００５３】
｛アンテナ１１の実装方法の例｝
図５及び図６は、アンテナ１１を基板５１の実装面５１Ａに実装した状態を示している。図５は、基板５１のアンテナ１１を実装した付近の斜視図であり、図６は、基板５１に実装した状態のアンテナ１１の側面図である。
【００５４】
アンテナ１１を実装面５１Ａに実装した状態で、取付部１１Ｄ−１と取付部１１Ｄ−２が、実装面５１Ａに形成されているパターンアンテナ５２に接続される。そして、アンテナ１１とパターンアンテナ５２により１つのアンテナが構成され、アンテナ１１とパターンアンテナ５２を合わせたアンテナ長に応じた電波を受信することができる。
【００５５】
また、図６の点線６１は、アンテナ１１を基板５１に実装したときのハンダの位置を示している。この図に示されるように、アンテナ１１の重心位置が、ハンダ付け部分の略中央を通っているため、アンテナ１１がバランスよく自立することができ、例えば、ハンダ付けを行う際等のアンテナ１１の転倒を防止することができる。
【００５６】
次に、図７乃至図９を参照して、アンテナ１１の基板５１への実装方法の例について説明する。
【００５７】
図７に示されるように、アンテナ１１を基板５１に実装するとき、例えば、アンテナ１１はピッキング装置７１のエアにより吸引され、基板５１上に運ばれる。このとき、アンテナ１１の上面部１１Ａ−２の面積が広いため、ピッキング装置７１によりアンテナ１１を容易に吸引することができる。
【００５８】
そして、図８に示されるように、アンテナ１１は、取付部１１Ｄ−１及び取付部１１Ｄ−２が、基板５１の実装面５１Ａ上に塗布されたペーストハンダ８１−１及びペーストハンダ８１−２の上に載るように位置決めされ、基板５１上に載置される。そして、他の電子部品とともにリフロー工程により基板５１に実装される。すなわち、リフロー工程によりペーストハンダ８１−１及びペーストハンダ８１−２が溶け、アンテナ１１が基板５１の実装面５１Ａ上に固定される。
【００５９】
ここで、アンテナ１１を基板５１に実装する際に、例えば、図９Ａ内の太い矢印で示されるように、上面部１１Ａ−２に対して垂直下方向に力が加わる。これにより、図９Ａ内の点線の矢印で示されるように、アンテナ１１が、左右方向において中央に向かう方向に変形する。ただし、側面部１１Ｂ−１、側面部１１Ｂ−２、支持部１１Ｃ−１及び支持部１１Ｃ−２により形成されるスリットＳＬ１乃至スリットＳＬ５、支持部１１Ｃ−１と取付部１１Ｄ−１との間、並びに、支持部１１Ｃ−２と取付部１１Ｄ−２との間が変形する他は、後の部分はほとんど変形しない。
【００６０】
また、アンテナ１１は、図９Ｂの点線の丸で囲まれる側面部１１Ｂ−１及び側面部１１Ｂ−２の下端の折り返し部分や、その他の折り曲げ部分や折り返し部分の面積が大きく、変形に対する反発力が強いため、変形してもすぐに元の形状に戻る。従って、外部からアンテナ１１に加わる力が基板５１に伝わりにくくなり、アンテナ１１に加わる力が基板５１に悪影響を及ぼすのを抑制することができる。
【００６１】
なお、アンテナの側面部及び上面部の折り返し数は、アンテナ１１の例に限定されるものではなく、アンテナが自立可能な範囲で、受信に必要なアンテナ長を考慮して任意の数に設定することができる。ここで、図１０乃至図１３を参照して、側面部及び上面部の折り返し数を変更したアンテナの例について説明する。
【００６２】
＜２．第２の実施の形態＞
｛アンテナ１０１の構成例｝
図１０は、本発明を適用したアンテナの第２の実施の形態であるアンテナ１０１の斜視図である。アンテナ１０１では、側面部の折り返し数が１で、上面部の折り返し数が０に設定されている。
【００６３】
アンテナ１０１は、図１のアンテナ１１から、上面部１１Ａ−２及び側面部１１Ｂ−２を除き、側面部１１Ｂ−１の右側の上端部と上面部１１Ａ−３の前端部を繋げたような形状をしている。上面部１０１Ａ−１、上面部１０１Ａ−２、支持部１０１Ｃ−１、支持部１０１Ｃ−２、取付部１０１Ｄ−１、及び、取付部１０１Ｄ−２の形状は、アンテナ１１とほぼ同様である。ただし、上面部１０１Ａ−１と上面部１０１Ａ−２の折れ曲がっている部分が、アンテナ１１の上面部１１Ａ−１と上面部１１Ａ−３と比較して、少し角張った形状をしている。なお、この折れ曲がっている部分は、必ずしも角張っている必要はなく、例えば、アンテナ１１と同様の形状にすることも可能である。
【００６４】
｛アンテナ１０１の製造方法の例｝
図１１は、アンテナ１０１の折り曲げ加工前の状態の部材１０２の例を示している。部材１０２は、図４の部材３１とほぼ同じ厚みを有しており、例えば、１枚の金属板に型を当てて打ち抜くことにより成形される。
【００６５】
部材１０２は、１つの谷部Ｈ１１を含み、山部を含まない波形部Ｗ１１を含んでいる。波形部Ｗ１１は、谷部Ｈ１１で略１８０度の方向に折れ曲がっており、振幅方向が略垂直な方形波に近い形状を有している。また、波形部Ｗ１１は、上面部１０１Ａ−１、上面部１０１Ａ−２、及び、側面部１０１Ｂを含んでいる。
【００６６】
そして、折り曲げ部ＦＰ１１乃至折り曲げ部ＦＰ１３−２で、部材１０２を折り曲げることによりアンテナ１１が形成される。
【００６７】
具体的には、折り曲げ部ＦＰ１１は、波形部Ｗ１１の途中にあり、波形部Ｗ１１の振幅方向に対して垂直な方向に設けられている。そして、部材１０２を折り曲げ部ＦＰ１１で垂直下方向に折り曲げることにより、側面部１０１Ｂが形成され、谷部Ｈ１１が側面部１０１Ｂの下端になる。
【００６８】
折り曲げ部ＦＰ１２−１及び折り曲げ部ＦＰ１２−２は、波形部Ｗ１１の振幅方向に対して垂直な方向の両端付近にあり、波形部Ｗ１１の振幅方向に対して平行な方向に設けられている。また、折り曲げ部ＦＰ１３−１及び折り曲げ部ＦＰ１３−２は、部材１０２の両端付近にあり、波形部Ｗ１１の振幅方向に対して平行な方向に設けられている。そして、部材１０２を折り曲げ部ＦＰ１２−１及び折り曲げ部ＦＰ１２−２で上面部（上面１０１Ａ−１及１０１Ａ−２）に対して垂直下方向に折り曲げ、折り曲げ部ＦＰ１３−１及び折り曲げ部ＦＰ１３−２で上面部に対して水平な方向に垂直に折り曲げることにより、支持部１０１Ｃ−１及び支持部１０１Ｃ−２、並びに、取付部１０１Ｄ−１及び取付部１０１Ｄ−２が形成される。
【００６９】
このように、アンテナ１０１も、アンテナ１１と同様に、金属板の打ち抜き加工と折り曲げ加工により容易に製造することができ、製造コストを安くすることができる。
【００７０】
また、アンテナ１０１も、アンテナ１１と同様の理由により、基板への実装が容易であり、感度が良好で、小型で変形しにくく、外部から与えられる力を基板に伝えにくくすることができる。
【００７１】
＜３．第３の実施の形態＞
図１２は、本発明を適用したアンテナの第３の実施の形態であるアンテナ１１１の斜視図である。アンテナ１１１では、側面部の折り返し数が３で、上面部の折り返し数が２に設定されている。
【００７２】
アンテナ１１１は、図１のアンテナ１１と比較して、アンテナ１１の上面部１１Ａ−２と同様の形状の上面部（上面部１１１Ａ−２及び上面部１１１Ａ−３）の数が１から２に増え、アンテナ１１の側面部１１Ｂ−１と同様の形状の側面部（側面部１１１Ｂ−１乃至側面部１１１Ｂ−３）の数が２から３に増えている。上面部１１１Ａ−１、上面部１１１Ａ−４、支持部１１１Ｃ−１、支持部１１１Ｃ−２、取付部１１１Ｄ−１、及び、取付部１１１Ｄ−２の形状は、アンテナ１１と同様である。
【００７３】
＜４．第４の実施の形態＞
図１３は、本発明を適用したアンテナの第４の実施の形態であるアンテナ１２１の斜視図である。アンテナ１２１では、側面部の折り返し数が４で、上面部の折り返し数が３に設定されている。
【００７４】
アンテナ１２１は、図１のアンテナ１１と比較して、アンテナ１１の上面部１１Ａ−２と同様の形状の上面部（上面部１２１Ａ−２乃至上面部１２１Ａ−３）の数が１から３に増え、アンテナ１１の側面部１１Ｂ−１と同様の形状の側面部（側面部１２１Ｂ−１乃至側面部１２１Ｂ−４）の数が２から４に増えている。上面部１２１Ａ−１、上面部１２１Ａ−５、支持部１２１Ｃ−１、支持部１２１Ｃ−２、取付部１２１Ｄ−１、及び、取付部１２１Ｄ−２の形状は、アンテナ１１と同様である。
【００７５】
なお、詳細な説明は省略するが、アンテナ１１１及びアンテナ１２１も、アンテナ１１及びアンテナ１０１と同様に、金属板の打ち抜き加工と折り曲げ加工により容易に製造することができ、製造コストを安くすることができる。
【００７６】
また、アンテナ１１１及びアンテナ１２１も、アンテナ１１と同様の理由により、基板への実装が容易であり、感度が良好で、小型で変形しにくく、外部から与えられる力を基板に伝えにくくすることができる。
【００７７】
＜５．第５の実施の形態＞
｛アンテナ１３１の構成例｝
図１４は、本発明を適用したアンテナの第５の実施の形態であるアンテナ１３１の斜視図である。アンテナ１３１は、上述したアンテナと異なり、側面部が前だけでなく後ろにも設けられている。
【００７８】
アンテナ１３１は、上面部１３１Ａ−１乃至上面部１３１Ａ−４からなる上面部、側面部１３１Ｂ−１及び側面部１３１Ｂ−２からなる前側の側面部、側面部１３１Ｆからなる後ろ側の側面部、一対の支持部１３１Ｃ−１及び支持部１３１Ｃ−２、並びに、一対の取付部１３１Ｄ−１及び取付部１３１Ｄ−２により構成される。なお、上面部１３１Ａ−１、上面部１３１Ａ−４、側面部１３１Ｂ−１、側面部１３１Ｂ−２、支持部１３１Ｃ−１、支持部１３１Ｃ−２、取付部１３１Ｄ−１及び取付部１３１Ｄ−２の形状は、アンテナ１１と同様である。
【００７９】
上面部１３１Ａ−１乃至上面部１３１Ａ−４は、それぞれ基板の実装面に対して平行な面であり、左右方向に互いに間隔を空けて並んでいる。また、上面部１３１Ａ−２及び上面部１３１Ａ−３は、アンテナ１３１の前後方向に延びる直線状の形状を有している。
【００８０】
側面部１３１Ｆは、上面部１３１Ａ−２及び上面部１３１Ａ−３の後端から垂直下方向に折れ曲がり、基板の実装面に対して垂直な面である。側面部１３１Ｆは、側面部１３１Ｂ−１及び側面部１３１Ｂ−２と同様にＵ字形の形状を有している。なお、側面部１３１Ｂ−１、側面部１３１Ｂ−２、及び、側面部１３１Ｆは、Ｕ字形以外の略１８０度に折り返す形状（例えば、Ｖ字形）にすることも可能である。側面部１３１Ｆの上端は、上面部１３１Ａ−２及び上面部１３１Ａ−３の後端に繋がっている。また、側面部１３１Ｆの下端は、取付部１３１Ｄ−１及び取付部１３１Ｄ−２の下端より高い位置にある。従って、アンテナ１３１を基板に実装したときに、側面部１３１Ｆの下端と基板の実装面との間に隙間ができる。
【００８１】
側面部１３１Ｂ−１の上端は、上面部１３１Ａ−１の前端部と上面部１３１Ａ−２の前端部に繋がっている。側面部１３１Ｂ−２の上端は、上面部１３１Ａ−３の前端部と上面部１３１Ａ−４の前端部に繋がっている。
【００８２】
｛アンテナ１３１の製造方法の例｝
図１５は、アンテナ１３１の折り曲げ加工前の状態の部材１３２の例を示している。この部材１３２は、図４の部材３１と略同じ厚みを有しており、例えば、１枚の金属板に型を当てて打ち抜くことにより成形される。
【００８３】
部材１３２は、２つの谷部（谷部Ｈ２１及び谷部Ｈ２２）、及び、１つの山部（山部Ｃ２１）を含む波形をした部分である波形部Ｗ２１を含んでいる。波形部Ｗ２１は、谷部Ｈ２１、山部Ｃ２１、谷部Ｈ２２のそれぞれで略１８０度の方向に折れ曲がっており、振幅方向が略垂直な方形波に近い形状を有している。また、波形部Ｗ２１は、上面部１３１Ａ−１乃至１３１Ａ−４、側面部１３１Ｂ−１及び側面部１３１Ｂ−２、並びに、側面部１３１Ｆを含んでいる。
【００８４】
そして、折り曲げ部ＦＰ２１乃至折り曲げ部ＦＰ２４で部材１３２を折り曲げることによりアンテナ１３１が形成される。
【００８５】
具体的には、折り曲げ部ＦＰ２１は、波形部Ｗ２１の途中にあり、波形部Ｗ２１の振幅方向に対して垂直な方向に設けられている。そして、部材１３２を折り曲げ部ＦＰ２１で垂直下方向に折り曲げることにより、側面部１３１Ｂ−１及び側面部１３１Ｂ−２が形成され、谷部Ｈ２１が側面部１３１Ｂ−１の下端になり、谷部Ｈ２２が側面部１３１Ｂ−２の下端になる。
【００８６】
折り曲げ部ＦＰ２４は、波形部Ｗ２１の途中であって、折り曲げ部ＦＰ２１と山部Ｃ２１の間にあり、波形部Ｗ２１の振幅方向に対して垂直な方向に設けられている。そして、部材１３２を折り曲げ部ＦＰ２４で垂直下方向に折り曲げることにより、側面部１３１Ｆが形成され、山部Ｃ２１が側面部１３１Ｆの下端になる。
【００８７】
折り曲げ部ＦＰ２２−１及び折り曲げ部ＦＰ２２−２は、波形部Ｗ２１の振幅方向に対して垂直な方向の両端付近にあり、波形部Ｗ２１の振幅方向に対して平行な方向に設けられている。また、折り曲げ部ＦＰ２３−１及び折り曲げ部ＦＰ２３−２は、部材１３２の両端付近にあり、波形部Ｗ２１の振幅方向に対して平行な方向に設けられている。そして、部材１３２を折り曲げ部ＦＰ２２−１及び折り曲げ部ＦＰ２２−２で上面部（上面１３１Ａ−１乃至１３１Ａ−４）に対して垂直下方向に折り曲げ、折り曲げ部ＦＰ２３−１及び折り曲げ部ＦＰ２３−２で上面部に対して水平な方向に垂直に折り曲げることにより、支持部１３１Ｃ−１及び支持部１３１Ｃ−２、並びに、取付部１３１Ｄ−１及び取付部１３１Ｄ−２が形成される。
【００８８】
このように、アンテナ１３１も、上述した他のアンテナと同様に、金属板の打ち抜き加工と折り曲げ加工により、容易に製造することができ、製造コストを安くすることができる。
【００８９】
また、アンテナ１３１も、他のアンテナと同様の理由により、基板への実装が容易であり、小型で変形しにくく、外部から与えられる力を基板に伝えにくくすることができる。
【００９０】
さらに、側面部１３１Ｆにより、アンテナ１３１の後方からの電波の受信感度を向上させることができる。
【００９１】
＜６．変形例＞
以上では、各アンテナの支持部（例えば、図１のアンテナ１１の支持部１１Ｃ−１及び支持部１１Ｃ−２）が基板の実装面に対して垂直になる例を示したが、実装面に対して傾けるようにしてもよい。例えば、アンテナ１１の支持部１１Ｃ−１と支持部１１Ｃ−２を、下端に比べて上端が近づくように互いに傾けるようにしてもよい。
【００９２】
なお、アンテナの支持部を基板の実装面に対して垂直になるようにした方が、アンテナをより小型化することが可能になる。
【００９３】
また、以上では、各アンテナの取付部（例えば、図１のアンテナ１１の取付部１１Ｄ−１及び取付部１１Ｄ−２）が左右に広がるように形成されている例を示したが、上述した例に限定されるものではない。例えば、アンテナ１１の取付部１１Ｄ−１と取付部１１Ｄ−２を、図１とは逆方向に折り曲げて、互いに近づけるように形成してもよい。
【００９４】
なお、各アンテナの取付部を左右に広がるように形成した方が、アンテナを直立させた場合の安定性が向上する。
【００９５】
さらに、各アンテナの側面部（例えば、図１のアンテナ１１の側面部１１Ｂ−１及び側面部１１Ｂ−２）の下端の折り返し部分の角度を１８０度より小さくするようにしてもよい。例えば、アンテナ１１の側面部１１Ｂ−１及び側面部１１Ｂ−２の下端の折り返し部分の角度を１８０度より小さくして、上に行くほど広がるようにしてもよい。
【００９６】
なお、各アンテナの側面部の下端の折り返し部分の角度を１８０度に近づけた方が、アンテナをより小型化することが可能になる。
【００９７】
また、本発明は、基板に実装するアンテナ、又は、アンテナを実装した基板を備える通信装置等の電子部品であれば、特定の用途のものに限定されるものではない。例えば、上述した車載用以外にも、各種の通信機器や電気機器等に用いるアンテナや電子部品に本発明を適用することが可能である。
【００９８】
さらに、本発明の実施の形態は、上述した実施の形態に限定されるものではなく、本発明の要旨を逸脱しない範囲において種々の変更が可能である。
【符号の説明】
【００９９】
１１  アンテナ
１１Ａ−１乃至１１Ａ−３  上面部
１１Ｂ−１，１１Ｂ−２  側面部
１１Ｃ−１，１１Ｃ−２  支持部
１１Ｄ−１，１１Ｄ−２  取付部
３１  部材
５１  基板
５１Ａ  実装面
５２  パターンアンテナ
１０１  アンテナ
１０１Ａ−１，１０１Ａ−２  上面部
１０１Ｂ  側面部
１０１Ｃ−１，１０１Ｃ−２  支持部
１０１Ｄ−１，１０１Ｄ−２  取付部
１１１  アンテナ
１１１Ａ−１乃至１１１Ａ−４  上面部
１１１Ｂ−１乃至１１１Ｂ−３  側面部
１１１Ｃ−１，１１１Ｃ−２  支持部
１１１Ｄ−１，１１１Ｄ−２  取付部
１２１  アンテナ
１２１Ａ−１乃至１２１Ａ−５  上面部
１２１Ｂ−１乃至１２１Ｂ−４  側面部
１２１Ｃ−１，１２１Ｃ−２  支持部
１２１Ｄ−１，１２１Ｄ−２  取付部
１３１  アンテナ
１３１Ａ−１乃至１３１Ａ−４  上面部
１３１Ｂ−１，１３１Ｂ−２  側面部
１３１Ｃ−１，１３１Ｃ−２  支持部
１３１Ｄ−１，１３１Ｄ−２  取付部
１３１Ｆ  側面部
Ｗ１乃至Ｗ２１  波形部
Ｈ１乃至Ｈ２２  谷部
Ｃ１乃至Ｃ２１  山部
ＦＰ１乃至ＦＰ２３−２  折り曲げ部
【図１】
2015095820.tif 000003
【図２】
2015095820.tif 000004
【図３】
2015095820.tif 000005
【図４】
2015095820.tif 000006
【図５】
2015095820.tif 000007
【図６】
2015095820.tif 000008
【図７】
2015095820.tif 000009
【図８】
2015095820.tif 000010
【図９】
2015095820.tif 000011
【図１０】
2015095820.tif 000012
【図１１】
2015095820.tif 000013
【図１２】
2015095820.tif 000014
【図１３】
2015095820.tif 000015
【図１４】
2015095820.tif 000016
【図１５】
2015095820.tif 000017